(57)【要約】【課題】  漏れない展開型吸収性物品の折畳方法および梱包方法を提供する。【解決手段】  トップシート１とバックシート２とそれらの間に介在された吸収体３をそなえた展開型紙おむつにおいて、トップシート１の両側部に、内部に糸ゴム７をそなえて使用面側に突出する脚回り用の立体ギャザー４Ａを形成する。この立体ギャザー４Ａは、吸収体３の幅方向の最狭部において、折り畳んだときに（格納状態）、吸収体３に重ならないように設ける。【選択図】        図３
2005237984.tif 000002
【特許請求の範囲】
【請求項１】
トップシートとバックシートとそれらの間に介在された吸収体と、使用面側に起立しうる立体ギャザーをそなえた展開型吸収性物品の折畳方法において、
サイドフラップを折り畳むときに、前記立体ギャザーを前記吸収体に重ならないように格納状態とし、前記吸収体の幅方向の最狭部における、前記格納された立体ギャザーと前記吸収体との間で前記格納された立体ギャザーを前記吸収体上に重ね合せることを特徴とする、展開型吸収性物品の折畳方法。
【請求項２】
前記サイドフラップを前記吸収体上に重ねるように折り畳んだ後、その折り畳み方向と直交する方向に三つ折りに折り畳むことを特徴とする、請求項１に記載の展開型吸収性物品の折畳方法。
【請求項３】
請求項２に記載の折畳方法で折り畳んだ展開型吸収性物品を立てた状態で横方向に複数重ね合わせ、その重ね合せた厚みの０．６〜０．８倍に圧縮して包装袋に収容することを特徴とする、展開型吸収性物品の梱包方法。
【請求項４】
前記圧縮された展開型吸収性物品の吸収体の圧縮仕事量が４．９〜６．９Ｊ／ｍ２であり、かつ、圧縮固さが０．４〜０．５５であり、かつ、圧縮回復性が３０〜４０％であることを特徴とする、請求項３に記載の展開型吸収性物品の梱包方法。
【発明の詳細な説明】
【技術分野】
【０００１】
この発明は、トップシートとバックシートとそれらの間に介在された吸収体と、使用面側に起立しうる立体ギャザーをそなえた使い捨て展開型紙おむつ、尿取りパッド、生理用ナプキンなどの展開型吸収性物品の折畳方法およびその折り畳まれた展開型吸収性物品の梱包方法に関する。
【背景技術】
【０００２】
従来の展開型紙おむつは、例えば、特開２００１−２９３０２９号公報に開示されている。すなわち、図８に示す展開型紙おむつは、トップシート２１とバックシート２２とそれらの間に介在された吸収体２３と、使用面側に起立しうる立体ギャザー２４をそなえ、吸収体２３の幅方向の中間領域に長手方向に沿って、吸収体２３を折り返すことを容易にする一対の肉薄部２３ａを形成する。
【０００３】
そして、肉薄部２３ａに沿って、吸収体２３の幅方向に吸収体２３の幅寸法の約３分の１となるように展開型紙おむつを折り畳む。
【０００４】
また、従来の別の展開型紙おむつの折畳方法を図９に示す。この図に示す展開型紙おむつは、トップシート３１とバックシート３２とそれらの間に介在された吸収体３３と、使用面側に起立しうる立体ギャザー３４およびその外側に延出するサイドフラップ３５をそなえる。
【０００５】
そして、吸収体３３は略砂時計形状をしており、吸収体３３の最狭部３３ａにおいて、立体ギャザー３４は吸収体３３上に設けられている。
【０００６】
このように構成された展開型紙おむつを折り畳むときは、まず、図１０において、立体ギャザー３４を折り畳む。次に、最狭部３３ａにおいて、吸収体３３の縁辺部にある仮想折畳線Ｇ１に沿ってサイドフラップ３５を吸収体３３の内側に向かって折り畳む。次に、図９に示すように、その折り畳み方向と直交する方向に、仮想折畳線Ｇ２に沿って三つ折りに折り畳む。
【０００７】
【特許文献１】特開平００‐００００００号公報
【特許文献２】特開平０７‐２８５１８７号公報
【発明の開示】
【発明が解決しようとする課題】
【０００８】
ところが、図８に示すような展開型紙おむつの折畳方法では、折り畳んだ展開型紙おむつの吸収体２３上の肉薄部２３ａに吸収体２３の長手方向に２本の折り目がついてしまい、使用するときに、この折り目に沿って尿などが流れ、尿漏れなどの原因となるという問題がある。
【０００９】
また、図９に示すような展開型紙おむつの折畳方法では、最狭部３３ａにおいて、立体ギャザー３４が仮想折畳線Ｇ１上に位置するため、立体ギャザー３４に折り畳み皺が入ってしまい、使用するときに、十分に起立せず、尿漏れなどの原因となるという問題がある。
【００１０】
そこで、この発明は、漏れない展開型吸収性物品の折畳方法および梱包方法を提供することにある。
【課題を解決するための手段】
【００１１】
そのため、請求項１に記載の発明は、トップシートとバックシートとそれらの間に介在された吸収体と、使用面側に起立しうる立体ギャザーをそなえた展開型吸収性物品の折畳方法において、サイドフラップを折り畳むときに、前記立体ギャザーを前記吸収体に重ならないように格納状態とし、前記吸収体の幅方向の最狭部における、前記格納された立体ギャザーと前記吸収体との間で前記格納された立体ギャザーを前記吸収体上に重ね合せることを特徴とする。
【００１２】
請求項２に記載の発明は、請求項１に記載の展開型吸収性物品の折畳方法において、前記サイドフラップを前記吸収体上に重ねるように折り畳んだ後、その折り畳み方向と直交する方向に三つ折りに折り畳むことを特徴とする。
【００１３】
請求項３に記載の発明は、展開型吸収性物品の梱包方法において、請求項２に記載の折畳方法で折り畳んだ展開型吸収性物品を立てた状態で横方向に複数重ね合わせ、その重ね合せた厚みの０．６〜０．８倍に圧縮して包装袋に収容することを特徴とする。
【００１４】
請求項４に記載の発明は、請求項３に記載の展開型吸収性物品の梱包方法において、前記圧縮された展開型吸収性物品の吸収体の圧縮仕事量が４．９〜６．９Ｊ／ｍ２であり、かつ、圧縮固さが０．４〜０．５５であり、かつ、圧縮回復性が３０〜４０％であることを特徴とする。
【発明の効果】
【００１５】
したがって、請求項１に記載の発明によれば、サイドフラップを折り畳むときに、立体ギャザーを格納状態とし、吸収体の最狭部において、格納された立体ギャザーと吸収体との間で折り畳むので、立体ギャザーに折り皺が入らず、使用時に立体ギャザーが正常に起立し、漏れない展開型吸収性物品の折畳方法および梱包方法を提供することができる。
【００１６】
請求項２に記載の発明によれば、請求項１に記載の効果に加えて、サイドフラップを折り畳んだ後、その折り畳み方向と直交する方向に三つ折りにするので、展開型吸収性物品をコンパクトに折り畳むことができる。
【００１７】
請求項３に記載の発明によれば、展開型吸収性物品を立てた状態で横方向に複数重ね合わせ、その重ね合せた厚みの０．６〜０．８倍の厚みに圧縮して包装袋に収容するので、コンパクトで、かつ、使用時に折り目の残らないような梱包をすることができる。
【００１８】
請求項４に記載の発明によれば、請求項３に記載の効果に加えて、圧縮して包装袋に収容する吸収体の圧縮仕事量が４．９〜６．９Ｊ／ｍ２であり、かつ、圧縮固さが０．４〜０．５５であり、かつ、圧縮回復性が３０〜４０％であるので、吸収体に弾力性があり、包装袋を開封した際に、吸収体が圧縮前の厚さと柔軟性を回復し、良好な装着感を得ることができる。
【発明を実施するための最良の形態】
【００１９】
以下、図面を参照しつつ、展開型紙おむつ（展開型吸収性物品）の折畳方法および梱包方法について説明する。図１は、この例に用いる展開型紙おむつの装着時の斜視図、図２は、図１に示す展開型紙おむつを展開した状態を示す一部破断平面図である。
【００２０】
図１および図２に示す展開型紙おむつは、トップシート１とバックシート２とそれらの間に介在された吸収体３と、使用面側に起立しうる立体ギャザー４Ａをそなえる。この吸収体３は、図示しない吸収用のティシューペーパーで被覆されている。また、吸収体３は、略砂時計形状となっており、図２中の長手方向中央付近に最狭部３ａが形成されている。
【００２１】
トップシート１は、展開型紙おむつの使用面を構成し、尿などの排泄物を吸収体３側に透過させる機能を有する素材でなり、肌着に近い感触を有した材料が好ましい。このような材料としては、例えば、織布、不織布および多孔性フィルム等を用いることができる。また、トップシート１の周縁部に撥水処理を施し、この周縁部における尿などの滲みによる漏れを防止する機能を付加したものが好ましい。
【００２２】
バックシート２は、通気性を有し、肌ざわりのよい材料が好ましい。このような材料としては、トップシート１と同様に、織布、不織布および多孔質フィルム等を用いることができる。また、バックシート２の内側には撥水処理を施し、吸収体３側からの尿などの滲みによる漏れを防止する機能を付加したものが好ましい。
【００２３】
吸収体３は、例えば、解織パルプを主材として高分子吸水ポリマーを併用したものや、熱可塑性樹脂、セルロース繊維および高分子吸水ポリマーの混合物に熱処理を施したもの等を用いることが好ましい。この他、吸収体３の材料としては、高分子ポリマーとパルプとを混合したものを用いてもよい。この場合、上記した高分子吸水ポリマーは、吸収体３の上層と中層および下層の何れの位置に存在してもよい。
【００２４】
吸収体３とバックシート２との間には、ポリエチレンフィルムからなる不透液性シート５をそなえる。
【００２５】
トップシート１の両側部には、内部に糸ゴム７をそなえて使用面側に起立しうる脚回り用の立体ギャザー４Ａをそなえる。さらに立体ギャザー４Ａの外側には、立体ギャザー４Ａを構成するギャザーシート４とバックシート２からなるサイドフラップ６が延出し、装着時に背側となるサイドフラップ６の両側部には、装着時に展開型紙おむつの腰まわりを固定するための止着部材８が設けられる。
【００２６】
立体ギャザー４Ａは、詳しくは、図３（Ａ）に示すように、吸収体３の幅方向の最狭部３ａにおいて、吸収体３の外側に設けられ、図３（Ｂ）のように、立体ギャザー４Ａを吸収体３に重ならないように折り畳んだときに（格納状態）、吸収体３に重ならないように設ける。
【００２７】
図４（Ａ）は、図２のＣ−Ｃにおける展開型紙おむつの断面図である。ここでは、吸収体３の幅が最狭部３ａに比べて広いため、立体ギャザー４Ａを吸収体３の上に重なるように設けられる。
【００２８】
このように構成された展開型紙おむつを折り畳むときは、まず、図２に示すように、吸収体３の幅方向の最狭部３ａにおいて、展開型紙おむつの両側部のサイドフラップ６を吸収体３と立体ギャザー４との間にある仮想折畳線Ｆ１にて内側に向かって折り畳む。詳しくは、図３（Ｂ）のように、立体ギャザー４Ａを格納状態とし、仮想折畳線Ｆ１において、サイドフラップ６を両側から内側に向かって図３（Ｃ）に示すように折り畳む。
【００２９】
すなわち、サイドフラップ６を折り畳むとき、立体ギャザー４Ａを格納状態とし、吸収体３の最狭部３ａにおいて、格納された立体ギャザー４Ａと吸収体３との間で折り、格納された立体ギャザー４Ａを吸収体３上に重ね合せる。
【００３０】
すると、立体ギャザー４Ａ上には、折り皺が入らないので、使用時に正常に起立することができる。また、図４（Ｂ）では、吸収体３の幅が最狭部３ａに比べて広いので、吸収体３上の仮想折畳線Ｆ１において、サイドフラップ６と吸収体３を両側から内側に向かって図４（Ｃ）のように折り曲げる。
【００３１】
このとき、吸収体３の両側部の折曲部３ｂの長さＬ１は、折り曲げていない部分の長さＬに対して、Ｌ≧２Ｌ１となるようにＬとＬ１とを設定する。したがって、吸収体３の両側部の折曲部３ｂどうしが重なり合わないので、折り畳むときに厚さを薄くすることができる。
【００３２】
このようにして仮想折畳線Ｆ１にて折り畳むと図５のようになる。次に、その折り畳み方向と直交する方向に三つ折りに折り畳む。すなわち、仮想折畳線Ｆ１に直交する、展開型紙おむつの長手方向をほぼ３等分する位置にある仮想折畳線Ｆ２において、展開型紙おむつの両端部から内側に向かって矢印のように三つ折りに折り畳むと、図６のようになる。
【００３３】
そして、折り畳んだ展開型紙おむつを図７に示すように、立てた状態で横方向に複数重ね合わせて圧縮して包装袋９に収容して、梱包する。このとき、その重ね合せた厚みの０．６倍の厚みになるように折り畳んだ展開型紙おむつを圧縮する。
【００３４】
なお、この例で使用する吸収体３は、圧縮された展開型紙おむつの吸収体３の圧縮仕事量（ＷＣ）が４．９Ｊ／ｍ２であり、かつ、圧縮固さ（ＬＣ）が０．４であり、かつ、圧縮回復性（ＲＣ）が４０％となるような弾力性のあるものとする。したがって、包装袋９を開封した際に、吸収体３が圧縮前の厚さと柔軟性を回復し、良好な装着感を得ることができる。
【００３５】
ここで、圧縮仕事量、圧縮固さ、圧縮回復性は、ＫＥＳ−Ｇ５ハンディー圧縮試験機により、押圧スピード０．１ｃｍ／ｓ、最大圧縮圧力４９０３．３Ｐａで、２．０ｃｍ２の端面を吸収体３に押し当てて測定する際の値である。
【００３６】
なお、この例では、展開型吸収性物品として、展開型紙おむつについて説明したが、本発明はこれに限定されるものではなく、尿取りパッド、生理用ナプキン等にも適用しうる。
【００３７】
また、この例では、折り畳まれた展開型紙おむつを立てた状態で横方向に複数重ね合わせ、その重ね合せた厚みの０．６倍の厚みになるように圧縮して包装袋９に収容したが、本発明はこれに限定されるものではなく、折り畳まれた展開型紙おむつを重ね合せた厚みの０．６〜０．８倍の厚みとなるように圧縮すればよい。このようにすると、使用時に、折り目が残らず、尿漏れなどを防ぐことができ、かつ、人体に装着しやすい。
【００３８】
さらに、この例では、圧縮された展開型紙おむつの吸収体３の圧縮固さを０．４、かつ、圧縮仕事量を４．９Ｊ／ｍ２、かつ、圧縮回復性を４０％となるような吸収体３としたが、本発明はこれに限定されるものではなく、吸収体３の圧縮固さが０．４〜０．５５、かつ、圧縮仕事量が４．９〜６．９Ｊ／ｍ２、かつ、圧縮回復性が３０〜４０％となるように設定すればよい。このように設定すると、使用時に、吸収体３が圧縮前の厚さに回復し、装着感がよい。
【００３９】
また、この例では、吸収体３は略砂時計形状であったが、これに限定されるものではなく、矩形の吸収体であってもよい。
【図面の簡単な説明】
【００４０】
【図１】この発明の一例としての展開型紙おむつの斜視図である。
【図２】その一部破断平面図である。
【図３】そのＢ矢視断面図であり、（Ａ）は、立体ギャザーが起立した状態、（Ｂ）は、立体ギャザーを折り畳んだ状態（格納状態）、（Ｃ）は、Ｆ１において、サイドフラップを折り畳んだ状態を示すものである。
【図４】そのＣ矢視断面図であり、（Ａ）は、立体ギャザーが起立した状態、（Ｂ）は、立体ギャザーを折り畳んだ状態（格納状態）、（Ｃ）は、Ｆ１において、サイドフラップと吸収体の一部を折り畳んだ状態を示すものである。
【図５】この発明の一例としての展開型紙おむつをＦ１において折り畳んだ状態を示す展開型紙おむつの斜視図である。
【図６】その展開型紙おむつをＦ２において三つ折りにした状態を示す展開型紙おむつの斜視図である。
【図７】その折り畳んだ展開型紙おむつを包装袋に収納した状態を示す斜視図である。
【図８】従来の展開型紙おむつを折り畳んだ状態を示す断面図である。
【図９】従来の別の展開型紙おむつの一部破断平面図である。
【図１０】そのＡ矢視断面図である。
【符号の説明】
【００４１】
１    トップシート
２    バックシート
３    吸収体
３ａ    最狭部
４Ａ    立体ギャザー
６    サイドフラップ
９    包装袋
【図１】
2005237984.tif 000003
【図２】
2005237984.tif 000004
【図３】
2005237984.tif 000005
【図４】
2005237984.tif 000006
【図５】
2005237984.tif 000007
【図６】
2005237984.tif 000008
【図７】
2005237984.tif 000009
【図８】
2005237984.tif 000010
【図９】
2005237984.tif 000011
【図１０】
2005237984.tif 000012
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
トップシートとバックシートとそれらの間に介在された吸収体と、起立しうるように前記トップシートの両側部に長さ方向に立体ギャザーをそなえ、前記吸収体は、展開した状態で、長手方向の中央部付近に幅方向の最狭部を設け、長手方向の両端部付近の幅が中央部付近より広くなる略砂時計形状とし、前記立体ギャザーは、前記吸収体の中央部付近では、前記吸収体の外側に設け、前記吸収体の両端部付近では、前記吸収体上に設ける吸収性物品において、
前記立体ギャザーが格納されている展開状態から、両側を前記立体ギャザーの内側の折畳線に沿って内側に向かって折り畳み、両側を折り返して前記立体ギャザーをすべて前記吸収体上に重ね合わせた状態とする、
ことを特徴とする、吸収性物品。
【請求項２】
前記折畳線に沿って内側に向かって折り畳み後、前記折畳線と直交する２つの第２の折畳線に沿って長手方向の両端部から内側に向かって三つ折りに折り畳むことを特徴とする、請求項１に記載の吸収性物品。
【請求項３】
請求項１または２に記載の吸収性物品を立てた状態で横方向に複数重ね合わせ、その重ね合せた厚みの０．６〜０．８倍に圧縮して包装袋に収容することを特徴とする、吸収性物品の梱包方法。
【請求項４】
前記圧縮された吸収性物品の吸収体の圧縮仕事量が４．９〜６．９Ｊ／ｍ２であり、かつ、圧縮固さが０．４〜０．５５であり、かつ、圧縮回復性が３０〜４０％であることを特徴とする、請求項３に記載の吸収性物品の梱包方法。
【手続補正３】
【補正対象書類名】明細書
【補正対象項目名】０００１
【補正方法】変更
【補正の内容】
【０００１】
この発明は、トップシートとバックシートとそれらの間に介在された吸収体と、使用面側に起立しうる立体ギャザーをそなえた使い捨て紙おむつ、尿取りパッド、生理用ナプキンなどの吸収性物品およびその吸収性物品の梱包方法に関する。
【手続補正４】
【補正対象書類名】明細書
【補正対象項目名】００１０
【補正方法】変更
【補正の内容】
【００１０】
そこで、この発明の目的は、漏れない吸収性物品およびその梱包方法を提供することにある。
【手続補正５】
【補正対象書類名】明細書
【補正対象項目名】００１１
【補正方法】変更
【補正の内容】
【００１１】
そのため、請求項１に記載の発明は、トップシートとバックシートとそれらの間に介在された吸収体と、起立しうるように前記トップシートの両側部に長さ方向に立体ギャザーをそなえ、前記吸収体は、展開した状態で、長手方向の中央部付近に幅方向の最狭部を設け、長手方向の両端部付近の幅が中央部付近より広くなる略砂時計形状とし、前記立体ギャザーは、前記吸収体の中央部付近では、前記吸収体の外側に設け、前記吸収体の両端部付近では、前記吸収体上に設ける吸収性物品において、
前記立体ギャザーが格納されている展開状態から、両側を前記立体ギャザーの内側の折畳線に沿って内側に向かって折り畳み、両側を折り返して前記立体ギャザーをすべて前記吸収体上に重ね合わせた状態とする、
ことを特徴とする。
【手続補正６】
【補正対象書類名】明細書
【補正対象項目名】００１２
【補正方法】変更
【補正の内容】
【００１２】
請求項２に記載の発明は、請求項１に記載の吸収性物品において、前記折畳線に沿って内側に向かって折り畳み後、前記折畳線と直交する２つの第２の折畳線に沿って長手方向の両端部から内側に向かって三つ折りに折り畳むことを特徴とする。
【手続補正７】
【補正対象書類名】明細書
【補正対象項目名】００１３
【補正方法】変更
【補正の内容】
【００１３】
請求項３に記載の発明は、吸収性物品の梱包方法において、請求項１または２に記載の吸収性物品を立てた状態で横方向に複数重ね合わせ、その重ね合せた厚みの０．６〜０．８倍に圧縮して包装袋に収容することを特徴とする。
【手続補正８】
【補正対象書類名】明細書
【補正対象項目名】００１４
【補正方法】変更
【補正の内容】
【００１４】
請求項４に記載の発明は、請求項３に記載の吸収性物品の梱包方法において、前記圧縮された吸収性物品の吸収体の圧縮仕事量が４．９〜６．９Ｊ／ｍ２であり、かつ、圧縮固さが０．４〜０．５５であり、かつ、圧縮回復性が３０〜４０％であることを特徴とする。
【手続補正９】
【補正対象書類名】明細書
【補正対象項目名】００１５
【補正方法】変更
【補正の内容】
【００１５】
したがって、この発明によれば、サイドフラップを折り畳むときに、立体ギャザーを格納状態とし、吸収体の最狭部において、格納された立体ギャザーと吸収体との間で折り畳むので、立体ギャザーに折り皺が入らず、使用時に立体ギャザーが正常に起立し、漏れない吸収性物品およびその梱包方法を提供することができる。
【手続補正１０】
【補正対象書類名】明細書
【補正対象項目名】００１６
【補正方法】変更
【補正の内容】
【００１６】
請求項２に記載の発明によれば、請求項１に記載の効果に加えて、サイドフラップを折り畳んだ後、その折り畳み方向と直交する方向に三つ折りにするので、吸収性物品をコンパクトに折り畳むことができる。
【手続補正１１】
【補正対象書類名】明細書
【補正対象項目名】００１７
【補正方法】変更
【補正の内容】
【００１７】
請求項３に記載の発明によれば、吸収性物品を立てた状態で横方向に複数重ね合わせ、その重ね合せた厚みの０．６〜０．８倍の厚みに圧縮して包装袋に収容するので、コンパクトで、かつ、使用時に折り目の残らないような梱包をすることができる。
【手続補正１２】
【補正対象書類名】明細書
【補正対象項目名】００２７
【補正方法】変更
【補正の内容】
【００２７】
図４（Ａ）は、図２のＣ−Ｃにおける展開型紙おむつの断面図である。ここでは、吸収体３の幅が最狭部３ａに比べて広いため、立体ギャザー４Ａを吸収体３の上に重なるように設ける。
【手続補正１３】
【補正対象書類名】明細書
【補正対象項目名】００２８
【補正方法】変更
【補正の内容】
【００２８】
このように構成された展開型紙おむつを折り畳むときは、まず、図２に示すように、吸収体３の幅方向の最狭部３ａにおいて、展開型紙おむつの両側部のサイドフラップ６を、吸収体３と立体ギャザー４Ａとの間にある仮想折畳線（折畳線）Ｆ１にて内側に向かって折り畳む。詳しくは、図３（Ｂ）のように、立体ギャザー４Ａを格納状態とし、仮想折畳線Ｆ１において、サイドフラップ６を両側から内側に向かって図３（Ｃ）に示すように折り畳む。
【手続補正１４】
【補正対象書類名】明細書
【補正対象項目名】００３２
【補正方法】変更
【補正の内容】
【００３２】
このようにして仮想折畳線Ｆ１にて折り畳むと図５のようになる。次に、その折り畳み方向と直交する方向に三つ折りに折り畳む。すなわち、仮想折畳線Ｆ１に直交する、展開型紙おむつの長手方向をほぼ３等分する位置にある仮想折畳線（第２の折畳線）Ｆ２において、展開型紙おむつの両端部から内側に向かって矢印のように三つ折りに折り畳むと、図６のようになる。
【手続補正１５】
【補正対象書類名】明細書
【補正対象項目名】００４１
【補正方法】変更
【補正の内容】
【００４１】
１    トップシート
２    バックシート
３    吸収体
３ａ  最狭部
４Ａ  立体ギャザー
６    サイドフラップ
９    包装袋
Ｆ１  仮想折畳線（折畳線）
Ｆ２  仮想折畳線（第２の折畳線）